(57)【要約】  カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成するディップ成形工程と、前記ディップ成形型の表面に形成された前記ディップ成形層の水分含有量を１〜３０重量％に調整する水分含有量調整工程と、前記水分含有量の調整を行った後、前記ディップ成形型の表面に形成された前記ディップ成形層のうち一部を、前記ディップ成形型から剥離するビーディング加工を行うビーディング加工工程と、を備えるディップ成形体の製造方法を提供する。【特許請求の範囲】
【請求項１】
カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成するディップ成形工程と、
前記ディップ成形型の表面に形成された前記ディップ成形層の水分含有量を１〜３０重量％に調整する水分含有量調整工程と、
前記水分含有量の調整を行った後、前記ディップ成形型の表面に形成された前記ディップ成形層のうち一部を、前記ディップ成形型から剥離するビーディング加工を行うビーディング加工工程と、を備えるディップ成形体の製造方法。
【請求項２】
前記ビーディング加工を行った後、前記ディップ成形層を架橋させる架橋工程と、
架橋後の前記ディップ成形層を、前記ディップ成形型から脱型させる脱型工程とをさらに備える請求項１に記載のディップ成形体の製造方法。
【請求項３】
前記水分含有量調整工程が、前記ディップ成形型の表面に形成された前記ディップ成形層に対し、２０〜１００℃、１〜２０分の条件で加熱する工程である請求項１または２に記載のディップ成形体の製造方法。
【請求項４】
前記水分含有量調整工程が、前記ディップ成形型の表面に形成された前記ディップ成形層に対し、４０〜８０℃、１〜２０分の条件で加熱する工程である請求項１〜３のいずれかに記載のディップ成形体の製造方法。
【請求項５】
前記金属化合物（Ｂ）が、アルミニウム化合物である請求項１〜４のいずれかに記載のディップ成形体の製造方法。
【発明の詳細な説明】
【技術分野】
【０００１】
本発明は、ディップ成形体の製造方法に係り、さらに詳しくは、即時型アレルギー（Ｔｙｐｅ  Ｉ）に加えて遅延型アレルギー（Ｔｙｐｅ  ＩＶ）の発生が抑制され、かつ、ビーディング巻き不良の発生が抑えられたディップ成形体の製造方法に関する。
【背景技術】
【０００２】
従来、天然ゴムのラテックスに代表される天然ラテックスを含有するラテックス組成物をディップ成形して、乳首、風船、手袋、バルーン、サック等の人体と接触して使用されるディップ成形体が知られている。しかしながら、天然ゴムのラテックスは、人体に即時型アレルギー（Ｔｙｐｅ  Ｉ）の症状を引き起こすような蛋白質を含有するため、生体粘膜または臓器と直接接触するディップ成形体としては問題がある場合があった。そこで、ニトリルゴムなどの合成ゴムのラテックスを用いる検討がされている。【０００３】
たとえば、特許文献１には、アクリロニトリル、カルボン酸、およびブタジエンのカルボキシル化ニトリルブタジエンランダム三元重合体を含み、全固形分量が１５〜２５重量％のエマルジョンに、酸化亜鉛、硫黄および加硫促進剤を配合してなるラテックス組成物が開示されている。しかしながら、この特許文献１の技術では、即時型アレルギー（Ｔｙｐｅ  Ｉ）の発生を防止できる一方で、ディップ成形体とした場合に、ディップ成形体に含まれる硫黄や加硫促進剤が原因で、人体に触れた際に、遅延型アレルギー（Ｔｙｐｅ  ＩＶ）のアレルギー症状を発生させることがあった。【０００４】
これに対し、たとえば、特許文献２では、少なくとも１種のベースポリマー、架橋剤、ｐＨ調整剤を含むラテックス組成物において、架橋剤として、３価金属または３価金属系化合物と、特定のポリエチレングリコールまたはポリエチレングリコール誘導体と、特定の水酸化物塩との混合物を用いる技術が開示されている。この特許文献２の技術によれば、硫黄および加硫促進剤である硫黄化合物を含まないため、即時型アレルギー（Ｔｙｐｅ  Ｉ）だけでなく、遅延型アレルギー（Ｔｙｐｅ  ＩＶ）の発生をも抑制できるものである。
【先行技術文献】
【特許文献】
【０００５】
【特許文献１】特許第５６９７５７８号公報
【特許文献２】国際公開第２０１６／７２８３５号
【発明の概要】
【発明が解決しようとする課題】
【０００６】
一方で、ディップ成形によりディップ成形体などの膜成形体を得る際には、ディップ成形型から脱型する際に、脱型のための掴み部として、ディップ成形型上に形成されたディップ成形層について、袖部に対して、ビーディング加工（袖巻き加工）がなされることが一般的である。特に、ディップ成形体を手袋用途などとする場合には、装着時に破れにくく、はめやすいものとするという点からも、このようなビーディング加工が好適に行われている。このような状況において、本発明者等が検討を行ったところ、上記特許文献２の技術によれば、即時型アレルギー（Ｔｙｐｅ  Ｉ）だけでなく、遅延型アレルギー（Ｔｙｐｅ  ＩＶ）の発生をも抑制できるものである一方で、得られるディップ成形体について、ビーディング加工を行った際に、破れが発生したり、ディップ成形層とディップ成形型との密着性が高すぎて、ビーディング巻き操作ができないという不具合があった。【０００７】
本発明は、このような実情に鑑みてなされたものであり、即時型アレルギー（Ｔｙｐｅ  Ｉ）に加えて遅延型アレルギー（Ｔｙｐｅ  ＩＶ）の発生が抑制され、かつ、ビーディング巻き不良の発生が抑えられたディップ成形体の製造方法を提供することを目的とする。
【課題を解決するための手段】
【０００８】
本発明者らは、上記課題を解決すべく鋭意研究した結果、カルボキシル基含有共役ジエン系ゴム（Ａ）のラテックスと、水溶性の金属化合物（Ｂ）とを含有するラテックス組成物を用いたディップ成形体を製造するに際し、ディップ成形型の表面に形成されたディップ成形層のうち一部を、ディップ成形型から剥離するビーディング加工を行う際に、ディップ成形層の水分含有量を１〜３０重量％に調整した状態にてビーディング加工を行うことによって、上記目的を達成できることを見出し、本発明を完成させるに至った。【０００９】
すなわち、本発明によれば、カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成するディップ成形工程と、
前記ディップ成形型の表面に形成された前記ディップ成形層の水分含有量を１〜３０重量％に調整する水分含有量調整工程と、
前記水分含有量の調整を行った後、前記ディップ成形型の表面に形成された前記ディップ成形層のうち一部を、前記ディップ成形型から剥離するビーディング加工を行うビーディング加工工程と、を備えるディップ成形体の製造方法が提供される。【００１０】
本発明の製造方法は、前記ビーディング加工を行った後、前記ディップ成形層を架橋させる架橋工程と、架橋後の前記ディップ成形層を、前記ディップ成形型から脱型させる脱型工程とをさらに備えることが好ましい。
本発明の製造方法において、前記水分含有量調整工程が、前記ディップ成形型の表面に形成された前記ディップ成形層に対し、２０〜１００℃、１〜２０分の条件で加熱する工程であることが好ましい。
本発明の製造方法において、前記水分含有量調整工程が、前記ディップ成形型の表面に形成された前記ディップ成形層に対し、４０〜８０℃、１〜２０分の条件で加熱する工程であることが好ましい。
本発明の製造方法において、前記金属化合物（Ｂ）が、アルミニウム化合物であることが好ましい。
【発明の効果】
【００１１】
本発明によれば、即時型アレルギー（Ｔｙｐｅ  Ｉ）に加えて遅延型アレルギー（Ｔｙｐｅ  ＩＶ）の発生が抑制され、かつ、ビーディング巻き不良の発生が抑えられたディップ成形体を製造するための方法を提供することができる。
【発明を実施するための形態】
【００１２】
本発明のディップ成形体の製造方法は、
カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成するディップ成形工程と、
前記ディップ成形型の表面に形成された前記ディップ成形層の水分含有量を１〜３０重量％に調整する水分含有量調整工程と、
前記水分含有量の調整を行った後、前記ディップ成形型の表面に形成された前記ディップ成形層のうち一部を、前記ディップ成形型から剥離するビーディング加工を行うビーディング加工工程と、を備えるものである。
【００１３】
＜ラテックス組成物＞
まず、本発明の製造方法に用いられる、ラテックス組成物について説明する。
本発明の製造方法に用いられる、ラテックス組成物は、カルボキシル基含有共役ジエン系ゴム（Ａ）のラテックスと、水溶性の金属化合物（Ｂ）とを含有する。
【００１４】
本発明で用いるカルボキシル基含有共役ジエン系ゴム（Ａ）のラテックスは、共役ジエン単量体およびエチレン性不飽和カルボン酸単量体を少なくとも含む単量体混合物を共重合して得られる共重合体のラテックスであり、カルボキシル基含有共役ジエン系ゴム（Ａ）としては、カルボキシル基含有ニトリルゴム（ａ１）、カルボキシル基含有スチレン−ブタジエンゴム（ａ２）およびカルボキシル基含有共役ジエンゴム（ａ３）から選択される少なくとも１種が好ましい。
【００１５】
カルボキシル基含有ニトリルゴム（ａ１）のラテックスは、共役ジエン単量体およびエチレン性不飽和カルボン酸単量体に加えて、エチレン性不飽和ニトリル単量体を共重合してなる共重合体のラテックスであり、これらに加えて、必要に応じて用いられる、これらと共重合可能な他のエチレン性不飽和単量体を共重合してなる共重合体のラテックスであってもよい。
【００１６】
共役ジエン単量体としては、たとえば、１，３−ブタジエン、イソプレン、２，３−ジメチル−１，３−ブタジエン、２−エチル−１，３−ブタジエン、１，３−ペンタジエンおよびクロロプレンなどが挙げられる。これらのなかでも、１，３−ブタジエンおよびイソプレンが好ましく、１，３−ブタジエンがより好ましい。これらの共役ジエン単量体は、単独で、または２種以上を組合せて用いることができる。カルボキシル基含有ニトリルゴム（ａ１）中における、共役ジエン単量体により形成される共役ジエン単量体単位の含有割合は、好ましくは５６〜７８重量％であり、より好ましくは５６〜７３重量％、さらに好ましくは５６〜６８重量％である。共役ジエン単量体単位の含有量を上記範囲とすることにより、得られるディップ成形体などの膜成形体を、引張強度を十分なものとしながら、風合いおよび伸びにより優れたものとすることができる。
【００１７】
エチレン性不飽和カルボン酸単量体としては、カルボキシル基を含有するエチレン性不飽和単量体であれば特に限定されないが、たとえば、アクリル酸、メタクリル酸などのエチレン性不飽和モノカルボン酸；イタコン酸、マレイン酸、フマル酸等のエチレン性不飽和多価カルボン酸；無水マレイン酸、無水シトラコン酸等のエチレン性不飽和多価カルボン酸無水物；フマル酸モノブチル、マレイン酸モノブチル、マレイン酸モノ−２−ヒドロキシプロピル等のエチレン性不飽和多価カルボン酸部分エステル単量体；などが挙げられる。これらのなかでも、エチレン性不飽和モノカルボン酸が好ましく、メタクリル酸が特に好ましい。これらのエチレン性不飽和カルボン酸単量体はアルカリ金属塩またはアンモニウム塩として用いることもできる。また、エチレン性不飽和カルボン酸単量体は単独で、または２種以上を組合せて用いることができる。カルボキシル基含有ニトリルゴム（ａ１）中における、エチレン性不飽和カルボン酸単量体により形成されるエチレン性不飽和カルボン酸単量体単位の含有割合は、好ましくは２〜５重量％であり、より好ましくは２〜４．５重量％、さらに好ましくは２．５〜４．５重量％である。エチレン性不飽和カルボン酸単量体単位の含有量を上記範囲とすることにより、得られるディップ成形体などの膜成形体を、引張強度を十分なものとしながら、風合いおよび伸びにより優れたものとすることができる。
【００１８】
エチレン性不飽和ニトリル単量体としては、ニトリル基を含有するエチレン性不飽和単量体であれば特に限定されないが、たとえば、アクリロニトリル、メタクリロニトリル、フマロニトリル、α−クロロアクリロニトリル、α−シアノエチルアクリロニトリルなどが挙げられる。なかでも、アクリロニトリルおよびメタクリロニトリルが好ましく、アクリロニトリルがより好ましい。これらのエチレン性不飽和ニトリル単量体は、単独で、または２種以上を組合せて用いることができる。カルボキシル基含有ニトリルゴム（ａ１）中における、エチレン性不飽和ニトリル単量体により形成されるエチレン性不飽和ニトリル単量体単位の含有割合は、好ましくは２０〜４０重量％であり、より好ましくは２５〜４０重量％、さらに好ましくは３０〜４０重量％である。エチレン性不飽和ニトリル単量体単位の含有量を上記範囲とすることにより、得られるディップ成形体などの膜成形体を、引張強度を十分なものとしながら、風合いおよび伸びにより優れたものとすることができる。
【００１９】
共役ジエン単量体、エチレン性不飽和カルボン酸単量体およびエチレン性不飽和ニトリル単量体と共重合可能なその他のエチレン性不飽和単量体としては、たとえば、スチレン、アルキルスチレン、ビニルナフタレン等のビニル芳香族単量体；フルオロエチルビニルエーテル等のフルオロアルキルビニルエーテル；（メタ）アクリルアミド、Ｎ−メチロール（メタ）アクリルアミド、Ｎ，Ｎ−ジメチロール（メタ）アクリルアミド、Ｎ−メトキシメチル（メタ）アクリルアミド、Ｎ−プロポキシメチル（メタ）アクリルアミド等のエチレン性不飽和アミド単量体；（メタ）アクリル酸メチル、（メタ）アクリル酸エチル、（メタ）アクリル酸ブチル、（メタ）アクリル酸−２−エチルヘキシル、（メタ）アクリル酸トリフルオロエチル、（メタ）アクリル酸テトラフルオロプロピル、マレイン酸ジブチル、フマル酸ジブチル、マレイン酸ジエチル、（メタ）アクリル酸メトキシメチル、（メタ）アクリル酸エトキシエチル、（メタ）アクリル酸メトキシエトキシエチル、（メタ）アクリル酸シアノメチル、（メタ）アクリル酸−２−シアノエチル、（メタ）アクリル酸−１−シアノプロピル、（メタ）アクリル酸−２−エチル−６−シアノヘキシル、（メタ）アクリル酸−３−シアノプロピル、（メタ）アクリル酸ヒドロキシエチル、（メタ）アクリル酸ヒドロキシプロピル、グリシジル（メタ）アクリレート、ジメチルアミノエチル（メタ）アクリレート等のエチレン性不飽和カルボン酸エステル単量体；ジビニルベンゼン、ポリエチレングリコールジ（メタ）アクリレート、ポリプロピレングリコールジ（メタ）アクリレート、トリメチロールプロパントリ（メタ）アクリレート、ペンタエリスリトール（メタ）アクリレート等の架橋性単量体；などを挙げることができる。これらのエチレン性不飽和単量体は単独で、または２種以上を組み合わせて使用することができる。
【００２０】
カルボキシル基含有ニトリルゴム（ａ１）中における、その他のエチレン性不飽和単量体により形成されるその他の単量体単位の含有割合は、好ましくは１０重量％以下であり、より好ましくは５重量％以下、さらに好ましくは３重量％以下である。
【００２１】
本発明で用いるカルボキシル基含有ニトリルゴム（ａ１）のラテックスは、上述した単量体を含有してなる単量体混合物を共重合することにより得られるが、乳化重合により共重合する方法が好ましい。乳化重合方法としては、従来公知の方法を採用することができる。
【００２２】
上述した単量体を含有してなる単量体混合物を乳化重合する際には、通常用いられる、乳化剤、重合開始剤、分子量調整剤等の重合副資材を使用することができる。これら重合副資材の添加方法は特に限定されず、初期一括添加法、分割添加法、連続添加法などいずれの方法でもよい。
【００２３】
乳化剤としては、特に限定されないが、たとえば、ポリオキシエチレンアルキルエーテル、ポリオキシエチレンアルキルフェノールエーテル、ポリオキシエチレンアルキルエステル、ポリオキシエチレンソルビタンアルキルエステル等の非イオン性乳化剤；ドデシルベンゼンスルホン酸カリウム、ドデシルベンゼンスルホン酸ナトリウムなどのアルキルベンゼンスルホン酸塩、高級アルコール硫酸エステル塩、アルキルスルホコハク酸塩等のアニオン性乳化剤；アルキルトリメチルアンモニウムクロライド、ジアルキルアンモニウムクロライド、ベンジルアンモニウムクロライド等のカチオン性乳化剤；α，β−不飽和カルボン酸のスルホエステル、α，β−不飽和カルボン酸のサルフェートエステル、スルホアルキルアリールエーテル等の共重合性乳化剤などを挙げることができる。なかでも、アニオン性乳化剤が好ましく、アルキルベンゼンスルホン酸塩がより好ましく、ドデシルベンゼンスルホン酸カリウムおよびドデシルベンゼンスルホン酸ナトリウムが特に好ましい。これらの乳化剤は、単独で、または２種以上を組合せて用いることができる。乳化剤の使用量は、単量体混合物１００重量部に対して、好ましくは０．１〜１０重量部である。
【００２４】
重合開始剤としては、特に限定されないが、たとえば、過硫酸ナトリウム、過硫酸カリウム、過硫酸アンモニウム、過リン酸カリウム、過酸化水素等の無機過酸化物；ジイソプロピルベンゼンハイドロパーオキサイド、クメンハイドロパーオキサイド、ｔ−ブチルハイドロパーオキサイド、１，１，３，３−テトラメチルブチルハイドロパーオキサイド、２，５−ジメチルヘキサン−２，５−ジハイドロパーオキサイド、ジ−ｔ−ブチルパーオキサイド、ジ−α−クミルパーオキサイド、アセチルパーオキサイド、イソブチリルパーオキサイド、ベンゾイルパーオキサイド等の有機過酸化物；アゾビスイソブチロニトリル、アゾビス−２，４−ジメチルバレロニトリル、アゾビスイソ酪酸メチル等のアゾ化合物；などを挙げることができる。これらの重合開始剤は、それぞれ単独で、または２種類以上を組み合わせて使用することができる。重合開始剤の使用量は、単量体混合物１００重量部に対して、好ましくは０．０１〜１０重量部、より好ましくは０．０１〜２重量部である。
【００２５】
また、過酸化物開始剤は還元剤との組み合わせで、レドックス系重合開始剤として使用することができる。この還元剤としては、特に限定されないが、硫酸第一鉄、ナフテン酸第一銅等の還元状態にある金属イオンを含有する化合物；メタンスルホン酸ナトリウム等のスルホン酸化合物；ジメチルアニリン等のアミン化合物；などが挙げられる。これらの還元剤は単独で、または２種以上を組合せて用いることができる。還元剤の使用量は、過酸化物１００重量部に対して３〜１０００重量部であることが好ましい。
【００２６】
乳化重合する際に使用する水の量は、使用する全単量体１００重量部に対して、８０〜６００重量部が好ましく、１００〜２００重量部が特に好ましい。
【００２７】
単量体の添加方法としては、たとえば、反応容器に使用する単量体を一括して添加する方法、重合の進行に従って連続的または断続的に添加する方法、単量体の一部を添加して特定の転化率まで反応させ、その後、残りの単量体を連続的または断続的に添加して重合する方法等が挙げられ、いずれの方法を採用してもよい。単量体を混合して連続的または断続的に添加する場合、混合物の組成は、一定としても、あるいは変化させてもよい。また、各単量体は、使用する各種単量体を予め混合してから反応容器に添加しても、あるいは別々に反応容器に添加してもよい。
【００２８】
さらに、必要に応じて、キレート剤、分散剤、ｐＨ調整剤、脱酸素剤、粒子径調整剤等の重合副資材を用いることができ、これらは種類、使用量とも特に限定されない。
【００２９】
乳化重合を行う際の重合温度は、特に限定されないが、通常、３〜９５℃、好ましくは５〜６０℃である。重合時間は５〜４０時間程度である。
【００３０】
以上のように単量体混合物を乳化重合し、所定の重合転化率に達した時点で、重合系を冷却したり、重合停止剤を添加したりして、重合反応を停止する。重合反応を停止する際の重合転化率は、好ましくは９０重量％以上、より好ましくは９３重量％以上である。
【００３１】
重合停止剤としては、特に限定されないが、たとえば、ヒドロキシルアミン、ヒドロキシアミン硫酸塩、ジエチルヒドロキシルアミン、ヒドロキシアミンスルホン酸およびそのアルカリ金属塩、ジメチルジチオカルバミン酸ナトリウム、ハイドロキノン誘導体、カテコール誘導体、ならびに、ヒドロキシジメチルベンゼンチオカルボン酸、ヒドロキシジエチルベンゼンジチオカルボン酸、ヒドロキシジブチルベンゼンジチオカルボン酸などの芳香族ヒドロキシジチオカルボン酸およびこれらのアルカリ金属塩などが挙げられる。重合停止剤の使用量は、単量体混合物１００重量部に対して、好ましくは０．０５〜２重量部である。
【００３２】
重合反応を停止した後、所望により、未反応の単量体を除去し、固形分濃度やｐＨを調整することで、カルボキシル基含有ニトリルゴム（ａ１）のラテックスを得ることができる。
【００３３】
また、本発明で用いるカルボキシル基含有ニトリルゴム（ａ１）のラテックスには、必要に応じて、老化防止剤、防腐剤、抗菌剤、分散剤などを適宜添加してもよい。
【００３４】
本発明で用いるカルボキシル基含有ニトリルゴム（ａ１）のラテックスの数平均粒子径は、好ましくは６０〜３００ｎｍ、より好ましくは８０〜１５０ｎｍである。粒子径は、乳化剤および重合開始剤の使用量を調節するなどの方法により、所望の値に調整することができる。
【００３５】
また、本発明で用いるカルボキシル基含有スチレン−ブタジエンゴム（ａ２）のラテックスは、共役ジエン単量体としての１，３−ブタジエンおよびエチレン性不飽和カルボン酸単量体に加えて、スチレンを共重合してなる共重合体のラテックスであり、これらに加えて、必要に応じて用いられる、これらと共重合可能な他のエチレン性不飽和単量体を共重合してなる共重合体のラテックスであってもよい。
【００３６】
カルボキシル基含有スチレン−ブタジエンゴム（ａ２）中における、１，３−ブタジエンにより形成されるブタジエン単位の含有割合は、好ましくは５６〜７８重量％であり、より好ましくは５６〜７３重量％、さらに好ましくは５６〜６８重量％である。ブタジエン単位の含有量を上記範囲とすることにより、得られるディップ成形体などの膜成形体を、引張強度を十分なものとしながら、風合いおよび伸びにより優れたものとすることができる。
【００３７】
エチレン性不飽和カルボン酸単量体としては、カルボキシル基を含有するエチレン性不飽和単量体であれば特に限定されないが、たとえば、上述したカルボキシル基含有ニトリルゴム（ａ１）のラテックスと同様のものを用いることができる。カルボキシル基含有スチレン−ブタジエンゴム（ａ２）中における、エチレン性不飽和カルボン酸単量体により形成されるエチレン性不飽和カルボン酸単量体単位の含有割合は、好ましくは２〜５重量％であり、より好ましくは２〜４．５重量％、さらに好ましくは２．５〜４．５重量％である。エチレン性不飽和カルボン酸単量体単位の含有量を上記範囲とすることにより、得られるディップ成形体などの膜成形体を、引張強度を十分なものとしながら、風合いおよび伸びにより優れたものとすることができる。
【００３８】
カルボキシル基含有スチレン−ブタジエンゴム（ａ２）中における、スチレンにより形成されるスチレン単位の含有割合は、好ましくは２０〜４０重量％であり、より好ましくは２５〜４０重量％、さらに好ましくは３０〜４０重量％である。スチレン単位の含有量を上記範囲とすることにより、得られるディップ成形体などの膜成形体を、引張強度を十分なものとしながら、風合いおよび伸びにより優れたものとすることができる。
【００３９】
共役ジエン単量体としての１，３−ブタジエン、エチレン性不飽和カルボン酸単量体およびスチレンと共重合可能なその他のエチレン性不飽和単量体としては、たとえば、上述したカルボキシル基含有ニトリルゴム（ａ１）のラテックスと同様のもの（ただし、スチレンを除く）の他、イソプレン、２，３−ジメチル−１，３−ブタジエン、２−エチル−１，３−ブタジエン、１，３−ペンタジエンおよびクロロプレンなどの１，３−ブタジエン以外の共役ジエン単量体などが挙げられる。カルボキシル基含有スチレン−ブタジエンゴム（ａ２）中における、その他のエチレン性不飽和単量体により形成されるその他の単量体単位の含有割合は、好ましくは１０重量％以下であり、より好ましくは５重量％以下、さらに好ましくは３重量％以下である。
【００４０】
本発明で用いるカルボキシル基含有スチレン−ブタジエンゴム（ａ２）のラテックスは、上述した単量体を含有してなる単量体混合物を共重合することにより得られるが、乳化重合により共重合する方法が好ましい。乳化重合方法としては、カルボキシル基含有ニトリルゴム（ａ１）の場合と同様の重合副資材を用い、同様の方法にて重合を行えばよい。
【００４１】
また、本発明で用いるカルボキシル基含有スチレン−ブタジエンゴム（ａ２）のラテックスには、必要に応じて、老化防止剤、防腐剤、抗菌剤、分散剤などを適宜添加してもよい。
【００４２】
本発明で用いるカルボキシル基含有スチレン−ブタジエンゴム（ａ２）のラテックスの数平均粒子径は、好ましくは６０〜３００ｎｍ、より好ましくは８０〜１５０ｎｍである。粒子径は、乳化剤および重合開始剤の使用量を調節するなどの方法により、所望の値に調整することができる。
【００４３】
また、本発明で用いるカルボキシル基含有共役ジエンゴム（ａ３）のラテックスは、共役ジエン単量体およびエチレン性不飽和カルボン酸単量体を共重合してなる共重合体のラテックスであり、これらに加えて、必要に応じて用いられる、これらと共重合可能な他のエチレン性不飽和単量体を共重合してなる共重合体のラテックスであってもよい。
【００４４】
カルボキシル基含有共役ジエンゴム（ａ３）中における、共役ジエン単量体により形成される共役ジエン単量体単位の含有割合は、好ましくは８０〜９８重量％であり、より好ましくは９０〜９８重量％、さらに好ましくは９５〜９７．５重量％である。共役ジエン単量体単位の含有量を上記範囲とすることにより、得られるディップ成形体などの膜成形体を、引張強度を十分なものとしながら、風合いおよび伸びにより優れたものとすることができる。
【００４５】
エチレン性不飽和カルボン酸単量体としては、カルボキシル基を含有するエチレン性不飽和単量体であれば特に限定されないが、たとえば、上述したカルボキシル基含有ニトリルゴム（ａ１）のラテックスと同様のものを用いることができる。カルボキシル基含有共役ジエンゴム（ａ３）中における、エチレン性不飽和カルボン酸単量体により形成されるエチレン性不飽和カルボン酸単量体単位の含有割合は、好ましくは２〜１０重量％であり、より好ましくは２〜７．５重量％、さらに好ましくは２．５〜５重量％である。エチレン性不飽和カルボン酸単量体単位の含有量を上記範囲とすることにより、得られるディップ成形体などの膜成形体を、引張強度を十分なものとしながら、風合いおよび伸びにより優れたものとすることができる。
【００４６】
共役ジエン単量体としては、１，３−ブタジエン、イソプレン、２，３−ジメチル−１，３−ブタジエン、２−エチル−１，３−ブタジエン、１，３−ペンタジエンおよびクロロプレンなどが挙げられ、共役ジエン単量体としてはこれらの何れかを単独で用いても、２種以上を組み合わせて用いてもよい。
共役ジエン単量体およびエチレン性不飽和カルボン酸単量体と共重合可能なその他のエチレン性不飽和単量体としては、たとえば、上述したカルボキシル基含有ニトリルゴム（ａ１）のラテックスと同様のものが挙げられる。カルボキシル基含有共役ジエンゴム（ａ３）中における、その他のエチレン性不飽和単量体により形成されるその他の単量体単位の含有割合は、好ましくは１０重量％以下であり、より好ましくは５重量％以下、さらに好ましくは３重量％以下である。
【００４７】
本発明で用いるカルボキシル基含有共役ジエンゴム（ａ３）のラテックスは、上述した単量体を含有してなる単量体混合物を共重合することにより得られるが、乳化重合により共重合する方法が好ましい。乳化重合方法としては、カルボキシル基含有ニトリルゴム（ａ１）の場合と同様の重合副資材を用い、同様の方法にて重合を行えばよい。
【００４８】
また、本発明で用いるカルボキシル基含有共役ジエンゴム（ａ３）のラテックスには、必要に応じて、老化防止剤、防腐剤、抗菌剤、分散剤などを適宜添加してもよい。
【００４９】
本発明で用いるカルボキシル基含有共役ジエンゴム（ａ３）のラテックスの数平均粒子径は、好ましくは６０〜３００ｎｍ、より好ましくは８０〜１５０ｎｍである。粒子径は、乳化剤および重合開始剤の使用量を調節するなどの方法により、所望の値に調整することができる。
【００５０】
また、本発明で用いるラテックス組成物は、上述したカルボキシル基含有共役ジエン系ゴム（Ａ）のラテックスに加えて、水溶性の金属化合物（Ｂ）を含有する。本発明で用いるラテックス組成物において、水溶性の金属化合物（Ｂ）は、架橋剤として作用する。
【００５１】
本発明によれば、架橋剤として通常用いられる硫黄の代わりに、水溶性の金属化合物（Ｂ）を架橋剤として用いるものであり、さらには、架橋に際しては、硫黄を含有する加硫促進剤をも必要としないものであるため、即時型アレルギー（Ｔｙｐｅ  Ｉ）に加えて、硫黄や、硫黄を含有する加硫促進剤に起因する、遅延型アレルギー（Ｔｙｐｅ  ＩＶ）の発生をも有効に抑制できるものである。
【００５２】
水溶性の金属化合物（Ｂ）としては、金属を含有し、水に対して溶解性を示す化合物であればよく、特に限定されないが、ナトリウム化合物、カリウム化合物、リチウム化合物、カルシウム化合物、マグネシウム化合物、アルミニウム化合物、コバルト化合物などが挙げられるが、これらのなかでも、ラテックス中に含まれるカルボキシル基含有共役ジエン系ゴム（Ａ）をより良好に架橋させることができるという点より、アルミニウム化合物、コバルト化合物などの原子価が３価以上の金属を含む水溶性の金属化合物が好ましく、アルミニウム化合物がより好ましい。
【００５３】
アルミニウム化合物としては、特に限定されないが、たとえば、水酸化アルミニウム、硝酸アルミニウム、硫酸アルミニウム、硫酸アルミニウムアンモニウム、臭化アルミニウム、フッ化アルミニウム、硫酸アルミニウム・カリウム、アルミニウム・イソプロポキシド、アルミン酸ナトリウム、アルミン酸カリウム、亜硫酸アルミニウムナトリウムなどが挙げられる。なお、これらアルミニウム化合物は、単独で、または２種以上を組合せて用いることができる。これらの中でも、本発明の作用効果をより顕著なものとすることができるという点より、アルミン酸ナトリウムが好ましい。
【００５４】
本発明で用いるラテックス組成物中における、水溶性の金属化合物（Ｂ）の含有割合は、ラテックス中に含まれるカルボキシル基含有共役ジエン系ゴム（Ａ）１００重量部に対して、０．１〜１．５重量部であり、好ましくは０．１〜１．２５重量部、より好ましくは０．１〜１．０重量部である。水溶性の金属化合物（Ｂ）の含有割合を上記範囲とすることにより、ラテックス組成物としての安定性を良好なものとし、これにより、ラテックス組成物中における凝集物の発生を有効に抑制しながら、架橋を十分なものとするこができ、得られるディップ成形体などの膜成形体を、引張強度および応力保持率により優れたものとすることができる。
【００５５】
また、本発明で用いるラテックス組成物には、上述したカルボキシル基含有共役ジエン系ゴム（Ａ）のラテックス、および水溶性の金属化合物（Ｂ）に加えて、糖類（ｃ１）、糖アルコール（ｃ２）、ヒドロキシ酸（ｃ３）およびヒドロキシ酸塩（ｃ４）から選択される少なくとも１種のアルコール性水酸基含有化合物（Ｃ）をさらに配合してもよい。アルコール性水酸基含有化合物（Ｃ）をさらに配合することにより、ラテックス組成物としての安定性をより向上させることができる。
【００５６】
糖類（ｃ１）としては、単糖類、あるいは、２以上の単糖がグリコシド結合によって結合した多糖類であればよく特に限定されないが、たとえば、エリスロース、スレオース、リボース、リキソース、キシロース、アラビノース、アロース、タロース、グロース、アルトロース、ガラクトース、イドース、エリスルロース、キシルロース、リブロース、プシコース、フルクトース、ソルボース、タガトースなどの単糖類；トレハロース、マルトース、イソマルトース、セロビオース、ゲンチオビオース、メリビオース、ラクトース、スクロース、パラチノースなどの二糖類；マルトトリオース、イソマルトトリオース、パノース、セロトリオース、マンニノトリオース、ソラトリオース、メレジトース、プランテオース、ゲンチアノース、ウンベリフェロース、ラクトスクロース、ラフィノースなどの三糖類；マルトテトラオース、イソマルトテトラオースなどのホモオリゴ糖；スタキオース、セロテトラオース、スコロドース、リキノース、パノースなどの四糖類；マルトペンタオース、イソマルトペンタオースなどの五糖類；マルトヘキサオース、イソマルトヘキサオースなどの六糖類；などが挙げられる。これらは１種単独で用いてもよいし、あるいは２種以上を組み合わせて用いてもよい。
【００５７】
糖アルコール（ｃ２）としては、単糖あるいは多糖類の糖アルコールであればよく、特に限定されないが、たとえば、グリセリンなどのトリトール；エリスリトール、Ｄ−スレイトール、Ｌ−スレイトールなどのテトリトール；Ｄ−アラビニトール、Ｌ−アラビニトール、キシリトール、リビトール、ペンタエリスリトールなどのペンチトール；ペンタエリスリトール；ソルビトール、Ｄ−イジトール、ガラクチトール、Ｄ−グルシトール、マンニトールなどのヘキシトール；ボレミトール、ペルセイトールなどのへプチトール；Ｄ−エリトロ−Ｄ−ガラクト−オクチトールなどのオクチトール；などが挙げられる。これらは１種単独で用いてもよいし、あるいは２種以上を組み合わせて用いてもよい。これらのなかでも、炭素数６の糖アルコールであるヘキシトールが好ましく、ソルビトールがより好ましい。
【００５８】
ヒドロキシ酸（ｃ３）としては、ヒドロキシル基を有するカルボン酸であればよく、特に限定されないが、たとえば、グリコール酸、乳酸、タルトロン酸、グリセリン酸、２−ヒドロキシ酪酸、３−ヒドロキシ酪酸、γ−ヒドロキシ酪酸、リンゴ酸、３−メチリンゴ酸、酒石酸、シトラマル酸、クエン酸、イソクエン酸、ロイシン酸、メバロン酸、パントイン酸、リシノール酸、リシネライジン酸、セレブロン酸、キナ酸、シキミ酸、セリンなどの脂肪族ヒドロキシ酸；サリチル酸、クレオソート酸（ホモサリチル酸、ヒドロキシ（メチル）安息香酸）、バニリン酸、シリング酸、ヒドロキシプロパン酸、ヒドロキシペンタン酸、ヒドロキシヘキサン酸、ヒドロキシヘプタン酸、ヒドロキシオクタン酸、ヒドロキシノナン酸、ヒドロキシデカン酸、ヒドロキシウンデカン酸、ヒドロキシドデカン酸、ヒドロキシトリデカン酸、ヒドロキシテトラデカン酸、ヒドロキシペンタデカン酸、ヒドロキシヘプタデカン酸、ヒドロキシオクタデカン酸、ヒドロキシノナデカン酸、ヒドロキシイコサン酸、リシノール酸などのモノヒドロキシ安息香酸誘導体、ピロカテク酸、レソルシル酸、プロトカテク酸、ゲンチジン酸、オルセリン酸などのジヒドロキシ安息香酸誘導体、没食子酸などのトリヒドロキシ安息香酸誘導体、マンデル酸、ベンジル酸、アトロラクチン酸などのフェニル酢酸誘導体、メリロト酸、フロレト酸、クマル酸、ウンベル酸、コーヒー酸、フェルラ酸、シナピン酸等のケイヒ酸・ヒドロケイヒ酸誘導体などの芳香族ヒドロキシ酸；などが挙げられる。これらは１種単独で用いてもよいし、あるいは２種以上を組み合わせて用いてもよい。これらのなかでも、脂肪族ヒドロキシ酸が好ましく、脂肪族α−ヒドロキシ酸がより好ましく、グリコール酸、乳酸、タルトロン酸、グリセリン酸、リンゴ酸、酒石酸、クエン酸がさらに好ましく、グリコール酸が特に好ましい。
【００５９】
ヒドロキシ酸塩（ｃ４）としては、ヒドロキシ酸の塩であればよく、特に限定されず、ヒドロキシ酸（ｃ３）の具体例として例示したヒドロキシ酸の金属塩などが挙げられ、たとえば、ナトリウム、カリウムなどのアルカリ金属の塩；カルシウム、マグネシウムなどのアルカリ土類金属の塩が挙げられる。ヒドロキシ酸塩（ｃ４）としては、１種単独で用いてもよいし、あるいは２種以上を組み合わせて用いてもよい。ヒドロキシ酸塩（ｃ４）としては、ヒドロキシ酸のアルカリ金属塩が好ましく、ヒドロキシ酸のナトリウム塩が好ましい。また、ヒドロキシ酸塩（ｃ４）を構成するヒドロキシ酸としては、脂肪族ヒドロキシ酸が好ましく、脂肪族α−ヒドロキシ酸がより好ましく、グリコール酸、乳酸、タルトロン酸、グリセリン酸、リンゴ酸、酒石酸、クエン酸がさらに好ましく、グリコール酸が特に好ましい。すなわち、ヒドロキシ酸塩（ｃ４）としては、グリコール酸ナトリウムが特に好適である。
【００６０】
本発明で用いるラテックス組成物中における、アルコール性水酸基含有化合物（Ｃ）の含有量は、水溶性の金属化合物（Ｂ）に対し、「水溶性の金属化合物（Ｂ）：アルコール性水酸基含有化合物（Ｃ）」の重量比で、好ましくは１：０．１〜１：５０の範囲となる量であり、より好ましくは１：０．２〜１：４５の範囲となる量、さらに好ましくは１：０．３〜１：３０の範囲となる量である。アルコール性水酸基含有化合物（Ｃ）を上記割合にて含有させることにより、ラテックス組成物としての安定性をより適切に向上させることができる。
【００６１】
本発明で用いるラテックス組成物は、たとえば、カルボキシル基含有共役ジエン系ゴム（Ａ）のラテックスに、水溶性の金属化合物（Ｂ）、および必要に応じて用いられるアルコール性水酸基含有化合物（Ｃ）を配合することにより得ることができる。カルボキシル基含有共役ジエン系ゴム（Ａ）のラテックスに、水溶性の金属化合物（Ｂ）を配合する方法としては、特に限定されないが、得られるラテックス組成物中に、水溶性の金属化合物（Ｂ）を良好に分散させることができるという点より、水溶性の金属化合物（Ｂ）を、水またはアルコールに溶解し、水溶液またはアルコール溶液の状態で添加することが好ましい。さらに、アルコール性水酸基含有化合物（Ｃ）を使用する場合には、得られるラテックス組成物中に、水溶性の金属化合物（Ｂ）をより好適に分散させるという観点より、水溶性の金属化合物（Ｂ）およびアルコール性水酸基含有化合物（Ｃ）を水またはアルコールに溶解し、水溶液またはアルコール溶液の状態で添加することが好ましい。
【００６２】
また、本発明で用いるラテックス組成物には、上述したカルボキシル基含有共役ジエン系ゴム（Ａ）のラテックス、および水溶性の金属化合物（Ｂ）、ならびに必要に応じて用いられるアルコール性水酸基含有化合物（Ｃ）に加えて、所望により、充填剤、ｐＨ調整剤、増粘剤、老化防止剤、分散剤、顔料、軟化剤等を配合してもよい。
【００６３】
本発明で用いるラテックス組成物の固形分濃度は、好ましくは１０〜４０重量％、より好ましくは１５〜３５重量％である。すなわち、本発明で用いるラテックス組成物における、水の割合は、好ましくは６０〜９０重量％であり、より好ましくは６５〜８５重量％である。また、本発明で用いるラテックス組成物のｐＨは、好ましくは８．０〜１２、より好ましくは８．５〜１１である。
【００６４】
＜ディップ成形体の製造方法＞
次いで、本発明のディップ成形体の製造方法について、説明する。
本発明のディップ成形体の製造方法は、
カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成するディップ成形工程と、
前記ディップ成形型の表面に形成された前記ディップ成形層の水分含有量を１〜３０重量％に調整する水分含有量調整工程と、
前記水分含有量の調整を行った後、前記ディップ成形型の表面に形成された前記ディップ成形層のうち一部を、前記ディップ成形型から剥離するビーディング加工を行うビーディング加工工程と、を備えるものである。
【００６５】
＜ディップ成形工程＞
本発明の製造方法におけるディップ成形工程は、カルボキシル基含有共役ジエン系ゴム（Ａ）のラテックスと、水溶性の金属化合物（Ｂ）とを含有するラテックス組成物を、ディップ成形型を用いて、ディップ成形することにより、ディップ成形型の表面にディップ成形層を形成する工程である。
【００６６】
ディップ成形する方法としては、特に限定されないが、ラテックス組成物にディップ成形型を浸漬し、ディップ成形型の表面に当該組成物を沈着させ、次にディップ成形型を、ラテックス組成物から引き上げる方法が好適である。なお、ラテックス組成物に浸漬される前のディップ成形型は予熱しておいてもよい。
【００６７】
また、ディップ成形工程においては、ディップ成形型をラテックス組成物に浸漬する前、または、ディップ成形型をラテックス組成物から引き上げた後、必要に応じて凝固剤を使用することができる。凝固剤の使用方法の具体例としては、ラテックス組成物に浸漬する前のディップ成形型を凝固剤の溶液に浸漬してディップ成形型に凝固剤を付着させる方法（アノード凝着浸漬法）、ラテックス組成物を沈着させたディップ成形型を凝固剤溶液に浸漬する方法（ティーグ凝着浸漬法）などがあるが、厚みムラの少ないディップ成形体が得られる点で、アノード凝着浸漬法が好ましい。
【００６８】
凝固剤としては、たとえば、塩化バリウム、塩化カルシウム、塩化マグネシウム、塩化亜鉛、塩化アルミニウム等のハロゲン化金属；硝酸バリウム、硝酸カルシウム、硝酸亜鉛等の硝酸塩；酢酸バリウム、酢酸カルシウム、酢酸亜鉛等の酢酸塩；硫酸カルシウム、硫酸マグネシウム、硫酸アルミニウム等の硫酸塩；等が挙げられる。なかでも、塩化カルシウムおよび硝酸カルシウムが好ましい。
凝固剤は、通常、水、アルコール、またはそれらの混合物の溶液として使用する。凝固剤濃度は、通常、５〜５０重量％、好ましくは１０〜３５重量％である。
【００６９】
＜水分含有量調整工程＞
本発明の製造方法における水分含有量調整工程は、上記ディップ成形工程において得られた、ディップ成形型の表面に形成されたディップ成形層の水分含有量を１〜３０重量％に調整する工程である。
【００７０】
本発明の製造方法によれば、ディップ成形型の表面に形成されたディップ成形層の水分含有量を１〜３０重量％に調整し、後述するビーディング加工工程において、ディップ成形層の水分含有量を１〜３０重量％に制御した状態にて、ディップ成形層の一部をディップ成形型から剥離するビーディング加工を行うものであり、これにより、このようなビーディング加工を良好に行うことができるものである。
【００７１】
特に、本発明者等が鋭意検討を行ったところ、ラテックス組成物に含有させる架橋剤として、上述した水溶性の金属化合物（Ｂ）を使用した場合には、即時型アレルギー（Ｔｙｐｅ  Ｉ）に加えて、硫黄や、硫黄を含有する加硫促進剤に起因する、遅延型アレルギー（Ｔｙｐｅ  ＩＶ）の発生をも有効に抑制できるものの、ビーディング加工を良好に行うことができず、ビーディング巻き不良が発生してしまうという課題があること、これに対し、ディップ成形層の水分含有量を１〜３０重量％の範囲に制御することで、ディップ成形により形成されるディップ成形層と、ディップ成形型との密着強度を低減することができ（たとえば、ピール強度を、好ましくは１０Ｎ以下、より好ましくは８Ｎ以下、さらに好ましくは４Ｎ以下とすることができ）、これにより、ビーディング加工を良好に行うことができ、結果として、ビーディング巻き不良の発生を有効に抑制できることを見出したものである。
【００７２】
水分含有量調整工程において、ディップ成形層の水分含有量を調整する際における、ディップ成形層の水分含有量は１〜３０重量％であり、好ましくは１〜２５重量％、より好ましくは１〜１０重量％である。ディップ成形層の水分含有量が多すぎると、ディップ成形層と、ディップ成形型との密着性を低減することができるものの、ディップ成形層の強度が不十分となり、ビーディング巻き操作中に、ディップ成形層の破れが発生してしまう。一方、ディップ成形層の水分含有量が少なすぎると、ディップ成形型との密着性が高く、ビーディング加工性に劣り、ビーディング巻き操作ができない。
【００７３】
水分含有量調整工程において、ディップ成形層の水分含有量を上記範囲とする方法としては、特に限定されないが、ディップ成形層に対し加熱を行うことで、ディップ成形層の水分含有量を調整する方法が好ましい。具体的には、ディップ成形層に対し、好ましくは２０〜１００℃、より好ましくは４０〜８０℃、さらに好ましくは３０〜６０℃にて、好ましくは１〜２０分、より好ましくは１〜１０分、さらに好ましくは３〜７分加熱することが好ましい。
【００７４】
なお、ディップ成形層の水分含有量の測定方法としては、特に限定されないが、たとえば、ディップ成形層の重量（Ｇ１）を精秤し、次いで、ディップ成形層を１２０℃、３０分の加熱で乾燥することで水分を除去し、水分除去後のディップ成形層の重量（Ｇ２）を測定し、これらの測定結果より、下記式にしたがって求めることができる。
ディップ成形層の水分含有量（単位：重量％）＝〔｛水分除去前のディップ成形層の重量（Ｇ１）−水分除去後のディップ成形層の重量（Ｇ２）｝／水分除去前のディップ成形層の重量（Ｇ１）〕×１００
【００７５】
＜ビーディング加工工程＞
本発明のビーディング加工工程は、上記水分含有量調整工程において水分含有量の調整を行ったディップ成形層のうち一部を、ディップ成形型から剥離するビーディング加工を行う工程である。
【００７６】
ビーディング加工工程においては、上述したように、ディップ成形層の水分含有量を１〜３０重量％に制御した状態にて、ディップ成形型の表面に形成されたディップ成形層のうち一部を、ディップ成形型から剥離するビーディング加工（袖巻き加工）を行うものである。そのため、上述したように、本発明の製造方法によれば、このようなビーディング加工を良好に行うことができるものであり、これにより、ビーディング巻き不良を有効に抑制できるものである。
【００７７】
なお、本発明の製造方法においては、ビーディング加工は、ディップ成形層を、ディップ成形型から脱型する際に、脱型のための掴み部として、ディップ成形層の袖部に対して、その一部を、ディップ成形型から剥離する加工であり、ディップ成形層の袖部のうち、好ましくは１０〜５０ｍｍの幅、より好ましくは２０〜３０ｍｍの幅について、その剥離部分が巻かれた状態となるように剥離を行うものである。また、このようなビーディング加工をすることにより、得られるディップ成形体を手袋用途などとする場合には、装着時に破れにくく、はめやすいものとすることもできる。
【００７８】
また、本発明の製造方法においては、ビーディング加工を行う前、あるいは、ビーディング加工を行った後に、ディップ成形層を、水、好ましくは３０〜７０℃の温水に、１〜６０分程度浸漬し、水溶性不純物（たとえば、余剰の乳化剤や凝固剤等）を除去してもよい。水溶性不純物の除去操作は、より効率的に水溶性不純物を除去できる点から、ビーディング加工を行う前に行なうことが好ましい。
【００７９】
そして、本発明の製造方法においては、加熱等により、このようなビーディング加工を行ったディップ成形層を架橋させる。ディップ成形層の架橋は、通常、８０〜１５０℃の温度で、好ましくは１０〜１３０分の加熱処理を施すことにより行われる。加熱の方法としては、赤外線や加熱空気による外部加熱または高周波による内部加熱による方法が採用できる。なかでも、加熱空気による外部加熱が好ましい。
【００８０】
そして、架橋したディップ成形層をディップ成形用型から脱型することによって、ディップ成形体を得ることができる。脱型方法としては、手で成形用型から剥したり、水圧や圧縮空気の圧力により剥したりする方法を採用することができる。なお、脱型後、さらに６０〜１２０℃の温度で、１０〜１２０分の加熱処理を行なってもよい。
【００８１】
このような本発明の製造方法により得られるディップ成形体は、その膜厚が、好ましくは０．０３〜０．５０ｍｍ、より好ましくは０．０５〜０．４０ｍｍ、特に好ましくは０．０８〜０．３０ｍｍである。
【００８２】
本発明の製造方法により得られるディップ成形体は、カルボキシル基含有共役ジエン系ゴム（Ａ）のラテックスに、架橋剤としての水溶性の金属化合物（Ｂ）を配合してなるラテックス組成物を用いて得られるものであるため、即時型アレルギー（Ｔｙｐｅ  Ｉ）に加えて遅延型アレルギー（Ｔｙｐｅ  ＩＶ）の発生をも抑制されたものであり、しかも、ビーディング巻き不良の発生も抑えられたものであり、そのため、たとえば、人体と接触して用いられ、かつ、ビーディング部（袖巻部）を有していることが望まれるような用途に好適に用いることができ、特に、手袋用途、とりわけ、手術用手袋に好適である。あるいは、本発明のディップ成形体は、手袋の他にも、哺乳瓶用乳首、スポイト、チューブ、水枕、バルーンサック、カテーテル、コンドームなどの医療用品；風船、人形、ボールなどの玩具；加圧成形用バック、ガス貯蔵用バックなどの工業用品；指サックなどにも用いることができる。
【実施例】
【００８３】
以下、本発明を、さらに詳細な実施例に基づき説明するが、本発明は、これら実施例に限定されない。なお、以下において、「部」は、特に断りのない限り重量基準である。また、試験、評価は下記によった。【００８４】
＜ディップ成形層の水分含有量＞
実施例および比較例にて作製した、水分含有量調整後のディップ成形層について、次の方法により水分含有量の測定を行った。すなわち、まず、ディップ成形層を一部サンプリングし、サンプリングしたディップ成形層の重量（Ｇ１）を精秤した。次いで、ディップ成形層を１２０℃、３０分の条件で加熱することで水分を除去することで、水分除去後のディップ成形層を得た。そして、水分除去後のディップ成形層の重量（Ｇ２）を測定し、これらの測定結果より、下記式にしたがって、ディップ成形層の水分含有量を求めた。
ディップ成形層の水分含有量（単位：重量％）＝〔｛水分除去前のディップ成形層の重量（Ｇ１）−水分除去後のディップ成形層の重量（Ｇ２）｝／水分除去前のディップ成形層の重量（Ｇ１）〕×１００【００８５】
＜ディップ成形層と手袋型との間のピール強度＞
実施例および比較例にて作製した、水分含有量調整後のディップ成形層について、手袋型から脱型する前の段階において、万能型引張試験器にてディップ成形層と手袋型との間における１８０°剥離試験を実施することで、ディップ成形層と手袋型との間のピール強度を測定した。剥離速度は５００ｍｍ／分とした。ピール強度が小さいほど、ディップ成形層と手袋型との密着力が低く、ビーディングが巻きやすく、ビーディング加工性に優れると判断できる。【００８６】
＜ディップ成形層のビーディング巻き不良＞
実施例および比較例にて作製した、水分含有量調整後のディップ成形層について、手袋型から脱型する前の段階において、手袋型に密着しているディップ成形層の端の部分を巻き上げるビーディング巻き操作を、手作業にて実施し、以下の基準で評価を行った。
なし：５回以内の巻き上げ操作で所望のビーディング巻き操作が完了した。
有り：所望のビーディング巻き操作が完了するまでに、６回以上の巻き上げ操作が必要であったか、あるいは、ビーディング巻き操作が全くできなかった。【００８７】
＜製造例１（カルボキシル基含有ニトリルゴム（ａ１−１）のラテックスの製造）＞
攪拌機付きの耐圧重合反応容器に、１，３−ブタジエン６３部、アクリロニトリル３４部、メタクリル酸３部、連鎖移動剤としてｔ−ドデシルメルカプタン０．２５部、脱イオン水１３２部、ドデシルベンゼンスルホン酸ナトリウム３部、β−ナフタリンスルホン酸ホルマリン縮合物ナトリウム１部、過硫酸カリウム０．３部、およびエチレンジアミン四酢酸ナトリウム０．００５部を仕込み、重合温度を３７℃に保持して重合を開始した。そして、重合転化率が７０％になった時点で、重合温度を４３℃に昇温し、継続して重合転化率が９５％になるまで反応させ、その後、重合停止剤としてジメチルジチオカルバミン酸ナトリウム０．１部を添加して重合反応を停止した。そして、得られた共重合体のラテックスから、未反応単量体を減圧にして留去した後、固形分濃度とｐＨとを調整することで、固形分濃度４０重量％、ｐＨ８．０のカルボキシル基含有ニトリルゴム（ａ１−１）のラテックスを得た。【００８８】
＜実施例１＞
＜ラテックス組成物の調製＞
まず、二酸化チタン（ＴｉＯ２）４．５部、β−ナフタリンスルホン酸ホルマリン縮合物ナトリウム塩０．３部、水酸化カリウム０．００１５部、および水４．５部を混合することで、二酸化チタン分散液を調製した。そして、混合容器中において、製造例１で得られたカルボキシル基含有ニトリルゴム（ａ１−１）のラテックス２５０部（カルボキシル基含有ニトリルゴム（ａ１−１）換算で１００部）に、アルミン酸ナトリウム０．５部、ソルビトール０．７５部、グリコール酸ナトリウム０．７５部を水溶させた混合水溶液を加えた。次いで、これに、カルボキシル基含有ニトリルゴム（ａ１−１）１００部に対して、二酸化チタンの添加量が１．５部となるように、上記にて調製した二酸化チタン分散液を添加した。そして、脱イオン水を加えて、固形分濃度を３０重量％に調整することで、ラテックス組成物を得た。【００８９】
＜ディップ成形層の形成＞
硝酸カルシウム３０部、ノニオン性乳化剤であるポリエチレングリコールオクチルフェニルエーテル０．０５部および水７０部を混合することにより、凝固剤水溶液を調製した。次いで、この凝固剤水溶液に、予め７０℃に加温したセラミック製手袋型（表面が粗面化されたセラミック製手袋型）を５秒間浸漬し、引上げた後、温度７０℃、１０分間の条件で乾燥して、凝固剤を手袋型に付着させた。そして、凝固剤を付着させた手袋型を、上記にて得られたラテックス組成物に１０秒間浸漬し、引上げた後、５０℃の温水に９０秒間浸漬して、水溶性不純物を溶出させて、手袋型にディップ成形層を形成した。【００９０】
次いで、ディップ成形層を形成した手袋型について、手袋型から脱型する前の段階において、温度６０℃にて、５分間の条件にて乾燥することで、ディップ成形層の水分含有量の調整を行った。得られた水分含有量調整後のディップ成形層の水分含有量を、上記方法にしたがって測定したところ、水分含有量は２．１重量％であった。そして、このようにして得られた水分含有量調整後のディップ成形層について、上記方法にしたがって、ディップ成形層と手袋型との間のピール強度の測定、および、ディップ成形層のビーディング巻き不良の評価を行った。結果を表１に示す。【００９１】
＜実施例２＞
実施例１と同様にして得られたラテックス組成物を用い、同様にして、手袋型にディップ成形層を形成した。次いで、ディップ成形層を形成した手袋型について、手袋型から脱型する前の段階において、温度３０℃にて、５分間の条件にて乾燥することで、ディップ成形層の水分含有量の調整を行った。得られた水分含有量調整後のディップ成形層の水分含有量を、上記方法にしたがって測定したところ、水分含有量は２５重量％であった。そして、このようにして得られた水分含有量調整後のディップ成形層について、上記方法にしたがって、ディップ成形層と手袋型との間のピール強度の測定、および、ディップ成形層のビーディング巻き不良の評価を行った。結果を表１に示す。【００９２】
＜比較例１＞
実施例１と同様にして得られたラテックス組成物を用い、同様にして、手袋型にディップ成形層を形成した。次いで、ディップ成形層を形成した手袋型について、手袋型から脱型する前の段階において、温度１５℃にて、５分間の条件にて乾燥することで、ディップ成形層の水分含有量の調整を行った。得られた水分含有量調整後のディップ成形層の水分含有量を、上記方法にしたがって測定したところ、水分含有量は５０重量％であった。そして、このようにして得られた水分含有量調整後のディップ成形層について、上記方法にしたがって、ディップ成形層と手袋型との間のピール強度の測定、および、ディップ成形層のビーディング巻き不良の評価を行った。結果を表１に示す。【００９３】
＜比較例２＞
実施例１と同様にして得られたラテックス組成物を用い、同様にして、手袋型にディップ成形層を形成した。次いで、ディップ成形層を形成した手袋型について、手袋型から脱型する前の段階において、温度１２５℃にて、５分間の条件にて乾燥することで、ディップ成形層の水分含有量の調整を行った。得られた水分含有量調整後のディップ成形層の水分含有量を、上記方法にしたがって測定したところ、水分含有量は０重量％であった。そして、このようにして得られた水分含有量調整後のディップ成形層について、上記方法にしたがって、ディップ成形層と手袋型との間のピール強度の測定、および、ディップ成形層のビーディング巻き不良の評価を行った。結果を表１に示す。【００９４】
【表１】
2019159779.tif 000002
【００９５】
表１に示すように、カルボキシル基含有共役ジエン系ゴム（Ａ）のラテックスと、水溶性の金属化合物（Ｂ）とを含有するラテックス組成物をディップ成形して得られるディップ成形層について、その水分含有量を１〜３０重量％に調整することにより、ディップ成形型との密着性を低減することができ、これにより、ビーディング巻き不良の発生を適切に抑えることが可能であった（実施例１，２）。なお、実施例１、２で得られた、水分含有量調整後のディップ成形層について、１２５℃で２５分の条件で加熱処理してディップ成形層を架橋させ、架橋したディップ成形層を手袋型から剥し、ディップ成形体（ゴム手袋）を得たところ、得られたディップ成形体（ゴム手袋）は、十分な強度および応力保持率を有し、ゴム手袋用途として好適に用いることができるものであった。【００９６】
一方、ディップ成形層の水分含有量が３０重量％を超える場合には、ディップ成形型との密着性を低減することができるものの、ディップ成形層の強度が不十分となり、ビーディング巻き操作中に、ディップ成形層の破れが発生してしまう結果となった（比較例１）。
また、ディップ成形層の水分含有量が１重量％未満である場合には、ディップ成形型との密着性が高く、ビーディング加工性に劣り、ビーディング巻き操作ができないものであった（比較例２）。
【国際調査報告】
2019159779.tif 000003
2019159779.tif 000004
2019159779.tif 000005
2019159779.tif 000006